(57)【要約】【課題】穿刺抵抗乃至膨張抵抗を軽減し、コアリングの原因や針を抜去する際の薬液や血液の飛散を防止乃至軽減し得る混注管用ゴム部材を提供【課題を解決する手段】図１において、斜線部は、本発明の混注管用弾性部材の一部断面を示すためのものであり、この混注管用弾性部材８は、本体部の上部に頭部８ｄを有し、また本体部の下端に下方突起８ｃを有し、中央部には閉塞孔８ｅを有している。更に本体部の壁の円周部には、縦溝８ｂが形成されており、これに対応した形で凸部８ａを有する形状となっている。縦溝８ｂは、その一実施形態として、頭部８ｄの付近では一部円周部８ｆを残し、また下方端では、縦溝８ｂは開放端８ｇを有している。【選択図】  図１
2004201724.tif 000002
【特許請求の範囲】
【請求項１】
混注管内に固定され得る形状を有し、中央部には閉塞孔を有する弾性部材において、該弾性部材の側壁の円周部の少なくとも一部に複数の縦溝を有することを特徴とする混注管用弾性部材。
【請求項２】
複数の縦溝は平行にかつ均等に設けられていることを特徴とする混注管用弾性部材。
【発明の詳細な説明】
【０００１】
【発明の属する技術分野】本発明は、混注管用弾性部材に関し、更に詳しくは穿刺抵抗乃至膨張抵抗を軽減し、コアリングの原因や針を抜去する際の薬液や血液の飛散を防止乃至軽減し得る混注管用弾性部材に関する。
【０００２】
【従来の技術】従来、混注管は分岐管を有し、該分岐管の開口部にゴム部材（ゴムボタンとも称される）を密栓し、このゴム部材に穿刺針を突き刺してシリンジ等と接続し、薬液等を注入するごとく使用されている。このような混注管は、図６又は図７に示される如き態様で用いられている。図６又は図７において、混注管は、開口端３ａ，３ｂを有する本管２と側管４とがＴ字形を有する混注管１からなり、この側管４に蓋５を有し、この側管４内には、弾性部材７が充填されている。また特開２００１−１７０１８６公報には、ニードル混注管に内蔵されているゴム製の本体胴部分と、本体胴部分の外周面に一体に形成され、嵌着部に圧入される鉢巻き状に隆起突設された環状シール部とを具備されたニードル混注管等のゴム栓が開示されており、このようなゴム栓を用いることにより液漏れ防止機能の信頼性を大幅に向上させることができることが開示されている。
【０００３】
【発明が解決しようとする課題】しかしながら、前述のごとき図６及び図７で用いられる混注管１は、穿刺時に穿刺針９１の口径によるゴム部材の拡張する応力（以下、拡張応力という。）がゴム弾性のみとなるため、穿刺針口径とゴム弾性が適合しないと、拡張応力が反撥力となって針の外筒を締めつける。その結果、この反撥力が穿刺抵抗の増強となるばかりでなく、穿刺した際にゴム部材が切り裂かれると毛細管現象により血液または液が上部まで浸透するので、ゴム部材から針を抜き去る時に、血液または液が飛び散る原因となる。また前述のごとき公報に開示されているニードル混注管等のゴム栓は、液漏れ防止機能の信頼性を大幅に向上するものの、鉢巻き状に隆起突設された環状シール部が嵌着部に圧入されているため、穿刺時に穿刺抵抗乃至膨張抵抗が増大し、作業性が今一つ十分でないという問題がある。
【０００４】
そこで、本発明者等は、この点について更に詳細に検討したところ、弾性部材（又はゴム部材）７の外周面に突部を形成するのではなく、縦溝８ｂを設けることによりゴム部材７に穿刺針９１を穿刺すると、穿刺針が通過する各所が該針の口径の太さ（Ｇ：ゲージ）だけゴム部材は押し広げられるので、穿刺抵抗乃至膨張抵抗を軽減し、コアリングの原因や針を抜去する際の薬液や血液の飛散を防止乃至軽減し得る混注管用ゴム部材が得られることを見出し、ここに本発明をなすに至った。したがって、本発明が解決しようとする課題は、穿刺抵抗乃至膨張抵抗を軽減し、コアリングの原因や針を抜去する際の薬液や血液の飛散を防止乃至軽減し得る混注管用ゴム部材を提供することにある。
【０００５】
【課題を解決するための手段】上記課題は、混注管内に固定され得る形状を有し、中央部には閉塞孔を有する弾性部材において、該弾性部材の側壁の円周部の少なくとも一部に複数の縦溝を有することを特徴とする混注管用弾性部材によって達成される。また上記弾性部材の側壁の円周部は、複数の縦溝が平行にかつ均等に設けられていることを特徴とする混注管用弾性部材によって達成される。
【０００６】
【発明の実施の形態】本発明の混注管用弾性部材は、混注管内に固定され得る形状を有し、中央部には閉塞孔を有する弾性部材において、該弾性部材の側壁の円周部の少なくとも一部に複数の縦溝を有することにより、穿刺抵抗乃至膨張抵抗を軽減し、コアリングの原因や針を抜去する際の薬液や血液の飛散を防止乃至軽減し得るという優れた効果を奏するものである。また上記弾性部材の側壁の円周部は、複数の縦溝が平行にかつ均等に設けられていることにより、穿刺抵抗乃至膨張抵抗が均一に作用することで、薬液や血液の圧力を均一にするという優れた効果を奏するものである。
【０００７】
以下に、本発明の実施の形態を図面で説明するが、本発明は、これらの例によって限定されるものではない。図１は、本発明の混注管用弾性部材を示す斜視図である。図１において、斜線部は、本発明の混注管用弾性部材の一部断面を示すためのものであり、この混注管用弾性部材８は、本体部の上部に頭部８ｄを有し、また本体部の下端に下方突起８ｃを有し、中央部には閉塞孔８ｅを有している。更に本体部の壁の円周部には、縦溝８ｂが形成されており、これに対応した形で凸部８ａを有する形状となっている。縦溝８ｂは、その一実施形態として、頭部８ｄの付近では一部円周部８ｆを残し、また下方端では、縦溝８ｂは開放端８ｇを有している。
【０００８】
図２は、本発明の混注管用弾性部材を示す側面図である。また図３は、本発明の混注管用弾性部材を示す下面図である。図２及び図３において、本体部の壁の円周部には、縦溝８ｂが一定間隔で複数設けられている。この縦溝８ｂの数は、好ましくは５〜１０個であり、更に好ましくは７〜８個である。このように構成することにより穿刺抵抗乃至膨張抵抗が均一に作用することで、薬液や血液の圧力を均一にすることができる。
【０００９】
本発明に用いられる混注管用弾性部材８に設けられる閉塞孔（特に図示していない。）は、Ｖ字形、十字形、Ｙ字形又は一文字形のいずれかであることが好ましく、更に好ましくはＶ字形、十字形、Ｙ字形である。また該弾性部材８の材質としては、シリコーンゴム、天然ゴム（例えば純化天然ゴム）、ポリウレタン、軟質ポリ塩化ビニル、スチレン−ブタジエン共重合体、ポリイソプレン、アクリロニトリル−ブタジエン系共重合体等が挙げられる。好ましくはシリコーンゴム、純化天然ゴム又はポリイソプレンである。
【００１０】
ここで、図４は、本発明の混注管用弾性部材を内蔵した混注管の斜視図であり、図５は、本発明の混注管用弾性部材を内蔵した混注管の断面図であり、図５のＡは、拡大されて図５のＢの円内に示されている。図５は、蓋部を省略した混注管１の部分断面図であり、図４及び図５において、混注管１は、本管２と側管４とでＴ字型に形成されており、本管２には、開口部３ａ及び３ｂを有する。また側管４には、上部開口部に蓋５が設けられており、蓋爪部５ａがつまみを構成し、後部には蓋５と側管４とを蝶番５ｂで開閉可能に接続されており、前記つまみを摘んで開閉するようになっている。この側管４と本管２は連通しており、更に側管４には弾性部材８が内蔵されている。この弾性部材８は、側管４の内径に一致して形成されており、基本的には側管４の内壁に密着されている。このように側管４に設置され内蔵されている弾性部材８の内壁の円周部には、図１乃至図３に示されている如き縦溝８ｂが一部８ｆを残して設けられている。即ち、縦溝８ｂを有することにより、ゴム部材７に穿刺針９１を穿刺すると、穿刺針が通過する各所が該針の口径の太さ（Ｇ：ゲージ）だけゴム部材の縦溝部分において押し広げられる（矢印方向へ）ので、また一部８ｆを残すことにより前記の縦溝８ｂと相まって薬液等の漏洩がない。この混注管１は、使用に際しつまみ５ａを摘んで蓋５を開け、穿刺針を弾性部材８の中央部に刺し込んで薬液等を注入する。この穿刺時に、針の太さに応じて弾性部材８は、円周方向に膨らむが、その膨らむときの押圧は縦溝８ｂに吸収されるので、穿刺抵抗乃至膨張抵抗が軽減さればかりでなく、薬液や血液の圧力を均一にすることができる。
【００１１】
本発明の混注管弾性部材８は、混注管に内蔵されて混注管と共に用いられるが、この混注管は、適宜の用途に使用され、一例を挙げれば、輸液・輸血セット、血液回路、バッグ類の蓋、薬液ビンの蓋、検査器具等に用いられる。
【００１２】
【発明の効果】本発明の混注管弾性部材は、混注管内に固定され得る形状を有し、中央部には閉塞孔を有する弾性部材において、該弾性部材の側壁の円周部の少なくとも一部に複数の縦溝を有することにより、穿刺抵抗乃至膨張抵抗を軽減し、コアリングの原因や針を抜去する際の薬液や血液の飛散を防止乃至軽減し得るという優れた効果を奏するものである。また本発明の混注管弾性部材の側壁の円周部は、複数の縦溝が平行にかつ均等に設けられていることにより、穿刺抵抗乃至膨張抵抗が均一に作用することで、薬液や血液の圧力を均一にするという優れた効果を奏するものである。
【図面の簡単な説明】
【図１】本発明の混注管用弾性部材を示す斜視図である。
【図２】本発明の混注管用弾性部材を示す側面図である。
【図３】本発明の混注管用弾性部材を示す下面図である。
【図４】本発明の弾性部材が内蔵された混注管を示す斜視図である。
【図５】本発明の弾性部材が内蔵された通常の混注管を示す断面図である。
【図６】従来の弾性部材が内蔵された混注管を示す斜視図である。
【図７】従来の混注管を示す部分断面図である。
【符号の説明】
１  混注管                    ８  本発明の混注管弾性部材（弾性部材）
２  本管                      ８ａ  凸部（側壁凸部）
３  チューブ                  ８ｂ  縦溝
３ａ、３ｂ  本管開口部        ８ｅ  閉塞孔
４  側管                      ８ｆ  残部（一部）
５  蓋                        ８ｇ  開放端（フリー端）
５ａ  蓋爪部（つまみ）        ９  注射器
５ｂ  蓋蝶番                  ９１  穿刺針
６  弾性部材の抑えキャップ
７  弾性部材
７ａ，８ｄ  頭部（側壁凸部）
７ｂ、８ｃ  下方凸部
【図１】
2004201724.tif 000003
【図２】
2004201724.tif 000004
【図３】
2004201724.tif 000005
【図４】
2004201724.tif 000006
【図５】
2004201724.tif 000007
【図６】
2004201724.tif 000008
【図７】
2004201724.tif 000009